(57)【要約】【課題】アンプやスピーカーの機能に障害が発生した場合に、その障害に容易に気付くことができる緊急地震速報対応住宅用全館放送システムを提供する。【解決手段】緊急地震速報用のアンプ２に音声入力機能が設けられると共に、音声入力端子５が宅内に設けられ、該音声入力端子５に接続したオーディオ機器からの音声信号が前記アンプ２に入力され、オーディオ機器の音声が緊急地震速報用スピーカー１…から発せられるようになされている。この音声入力端子５と電源コンセント７とを有する一体型コンセント８が宅内の壁に設けられているとよい。【選択図】      図１
2010277182.tif 000002
【特許請求の範囲】
【請求項１】
緊急地震速報用のスピーカーと、該スピーカーとは別体のアンプと、インターネットを経由して受信した緊急地震速報データを演算し、演算結果をアンプに出力する処理部とが備えられ、緊急地震速報データを受信すると、前記スピーカーから地震速報が発せられるようになされた緊急地震速報対応住宅用全館放送システムであって、
前記アンプに音声入力機能が設けられると共に、音声入力端子が宅内に設けられ、該音声入力端子に接続したオーディオ機器からの音声信号が前記アンプに入力され、オーディオ機器の音声が前記緊急地震速報用スピーカーから発せられるようになされていることを特徴とする緊急地震速報対応住宅用全館放送システム。
【請求項２】
前記音声入力端子と電源コンセントとを有する一体型コンセントが宅内に設けられている請求項１に記載の緊急地震速報対応住宅用全館放送システム。
【請求項３】
前記一体型コンセントが壁コンセントからなり、
携帯型オーディオ機器をドッキングさせるドッキングステーションと、該ドッキングステーションと前記電源コンセントとを接続するＡＣアダプタのプラグ一体型本体とを位置決め状態に収容すると共に、収容状態のドッキングステーションに対して携帯型オーディオ機器をドッキングさせる開口部を備えるカバーが備えられ、
該カバーは、前記ＡＣアダプタ本体のプラグを前記電源コンセントに差し込むと共に、ドッキングステーションと音声入力端子とを音声ケーブルで接続した状態において、ＡＣアダプタ本体とドッキングステーションとをつなぐ電気ケーブルと、音声ケーブルと、音声入力端子部分とをカバーした壁付け状態にすることができるようになされている請求項２に記載の緊急地震速報対応住宅用全館放送システム。
【請求項４】
前記アンプに接続されたＦＭチューナー部が備えられ、スピーカーからＦＭ放送が発せられるようになされている請求項１乃至３のいずれか一に記載の緊急地震速報対応住宅用全館放送システム。
【発明の詳細な説明】
【技術分野】
【０００１】
本発明は、緊急地震速報対応住宅用全館放送システムに関する。
【背景技術】
【０００２】
緊急地震速報用のスピーカーと、該スピーカーとは別体のアンプと、インターネットを経由して受信した緊急地震速報データを演算し、演算結果をアンプに出力する処理部とが備えられ、緊急地震速報データを受信すると、前記スピーカーから地震速報が発せられるようになされた緊急地震速報対応住宅用全館放送システムは、従来より知られている。
【先行技術文献】
【特許文献】
【０００３】
【特許文献１】特開２００９−０８６７８４号公報
【発明の概要】
【発明が解決しようとする課題】
【０００４】
しかしながら、住宅用の従来のシステムでは、地震発生時以外は作動することがなく、そのため、アンプやスピーカーの機能に障害が発生した場合に、その障害に気付きにくいという問題がある。
【０００５】
本発明は、上記のような問題点に鑑み、アンプやスピーカーの機能に障害が発生した場合に、その障害に容易に気付くことができる緊急地震速報対応住宅用全館放送システムを提供することを課題とする。
【課題を解決するための手段】
【０００６】
上記の課題は、緊急地震速報用のスピーカーと、該スピーカーとは別体のアンプと、インターネットを経由して受信した緊急地震速報データを演算し、演算結果をアンプに出力する処理部とが備えられ、緊急地震速報データを受信すると、前記スピーカーから地震速報が発せられるようになされた緊急地震速報対応住宅用全館放送システムであって、
前記アンプに音声入力機能が設けられると共に、音声入力端子が宅内に設けられ、該音声入力端子に接続したオーディオ機器からの音声信号が前記アンプに入力され、オーディオ機器の音声が前記緊急地震速報用スピーカーから発せられるようになされていることを特徴とする緊急地震速報対応住宅用全館放送システムによって解決される（第１発明）。
【０００７】
このシステムでは、宅内に設けられた音声入力端子にオーディオ機器を接続すると、オーディオ機器の音声が前記緊急地震速報用スピーカーから発せられるようになされているので、オーディオ機器をこのようなかたちで日常的に使用することにより、緊急地震速報用のアンプやスピーカーの機能に障害が発生していれば、それに容易に気付くことができて、早期に修復することができ、いざというときの備えを万全なものにすることができる。
【０００８】
しかも、こうしてオーディオ機器を宅内の音声入力端子に接続することで、オーディオ機器の音声を宅内において全館放送で聞くことができ、システムを構成するアンプやスピーカーの活用の幅を広くすることができる。
【０００９】
第１発明において、前記音声入力端子と電源コンセントとを有する一体型コンセントが宅内に設けられているとよい（第２発明）。この場合は、オーディオ機器、特に携帯型オーディオ機器の使用において、音声ケーブルの接続と電気ケーブルの接続とを同じ場所で行うことができて便利である。
【００１０】
第２発明において、前記一体型コンセントが壁コンセントからなり、
携帯型オーディオ機器をドッキングさせるドッキングステーションと、該ドッキングステーションと前記電源コンセントとを接続するＡＣアダプタのプラグ一体型本体とを位置決め状態に収容すると共に、収容状態のドッキングステーションに対して携帯型オーディオ機器をドッキングさせる開口部を備えるカバーが備えられ、
該カバーは、前記ＡＣアダプタ本体のプラグを前記電源コンセントに差し込むと共に、ドッキングステーションと音声入力端子とを音声ケーブルで接続した状態において、ＡＣアダプタ本体とドッキングステーションとをつなぐ電気ケーブルと、音声ケーブルと、音声入力端子部分とをカバーした壁付け状態にすることができるようになされているとよい（第３発明）。
【００１１】
この場合は、携帯型オーディオ機器用のドッキングステーションをシステムに接続した状態で、ＡＣアダプタや配線関係がカバーで隠され、すっきりとした納まりにすることができる。
【００１２】
第１〜第３発明において、前記アンプに接続されたＦＭチューナー部が備えられ、スピーカーからＦＭ放送が発せられるようになされているのもよい（第４発明）。この場合は、ＦＭ放送を宅内において全館放送で聞くことができて、システムを構成するアンプやスピーカーの活用の幅をより広くすることができるし、ＦＭトランスミッターを使用したオーディオ機器の使用も可能になる。
【発明の効果】
【００１３】
本発明の緊急地震速報対応住宅用全館放送システムは、以上のとおりのものであるから、アンプやスピーカーの機能に障害が発生した場合に、その障害に容易に気付くことができ、しかも、このアンプやスピーカーの有効活用を図ることができる。
【図面の簡単な説明】
【００１４】
【図１】実施形態のシステムを示すもので、図（イ）は全体構成図、図（ロ）は一体型コンセントとドッキングステーションとカバーを分離状態にして示す側面図、図（ハ）はカバーをドッキングステーションと共に壁付け状態にした側面図である。
【発明を実施するための形態】
【００１５】
次に、本発明の実施形態を図面に基づいて説明する。
【００１６】
図１（イ）に示す実施形態の緊急地震速報対応住宅用全館放送システムにおいて、１…は緊急地震速報用のスピーカー、２は同じく緊急地震速報用のアンプ、３は処理部である。各スピーカー１は、例えば天井埋め込み式のものなどからなり、リビング、ダイニング、キッチン、浴室、玄関ホール、各居室等のぞれぞれに備えられている。アンプ２は、各スピーカー１…とは別体のものからなっていて、一つ備えられ、上記の各スピーカー１…はケーブル４でアンプ２に接続されている。処理部３は、インターネットを経由して受信した緊急地震速報データを演算し、演算結果をアンプ２に出力するもので、演算結果がアンプ２に入力されると、緊急地震速報が各スピーカー１…から発せられるようになされている。
【００１７】
そして、上記のアンプ２には音声入力機能が設けられており、宅内には音声入力端子５が設けられ、アンプ２と音声入力端子５とがケーブル６で接続され、音声入力端子５に接続した携帯型オーディオ機器、ＣＤコンポ等のオーディオ機器からの音声信号がアンプ２に入力され、オーディオ機器の音声が緊急地震速報用の各スピーカー１…から発せられるようになされている。
【００１８】
本実施形態では、宅内の音声入力端子５は、電源コンセント７と一体化されて一体型コンセント８に組み込まれており、該一体型コンセント８は壁コンセントからなっていて、電源コンセント７と音声入力端子５に対するオーディオ機器の接続を、煩わしい配線の引きまわしを行うことなく、近場で便利に行うことができるようになされている。
【００１９】
また、上記の壁付け一体型コンセント８と隣り合うように、該一体型コンセント８と同じサイズに設計された壁付け式のＦＭチューナー部９が設けられ、該ＦＭチューナー部９もアンプ２と接続されて、ＦＭチューナー部９に対する操作で、各スピーカー１…からＦＭ放送が発せられるようになされている。９ａは液晶表示部、９ｂはチューニングボタン、９ｃはボリューム調節ボタンである。なお、ＦＭチューナー部９は、音声入力端子５、電源コンセント７と共に、一体型コンセント１６に組み込まれた構成となっていてもよい。
【００２０】
更に、本実施形態では、図１（ロ）（ハ）に示すように、カバー１０がシステムの構成要素として備えられている。該カバー１０は、硬質プラスチックあるいは金属成形品などからなっていて、携帯型オーディオ機器１１をドッキングさせるドッキングステーション１２と、該ドッキングステーション１２のＡＣアダプタ１３のプラグ一体型本体１３ａとを位置決め状態に収容すると共に、収容状態のドッキングステーション１２に対して携帯型オーディオ機器１１をドッキングさせる開口部１０ａを備えたものからなっている。
【００２１】
そして、該カバー１０は、ＡＣアダプタ本体１３ａのプラグ１３ｂを一体型コンセント８の電源コンセント７に差し込むと共に、ドッキングステーション１２と一体型コンセント８の音声入力端子５とを音声ケーブル１４で接続した状態において、ＡＣアダプタ１３のケーブル１３ｃと、音声ケーブル１４と、音声入力端子５の部分とをカバーした、着脱可能な壁付け状態にすることができるようになされている。カバー１０の壁付けは、壁付けの一体型コンセント８に対して行われるものであってもよいし、一体型コンセント８の周囲の壁面に対し行われるものであってもよいし、ＡＣアダプタ本体１３ａのプラグ１３ｂが一体型コンセント８の電源コンセント７に差し込まれることによる保持力で行われるものであってもよい。
【００２２】
上記の緊急地震速報対応住宅用全館放送システムでは、上記のように、宅内の壁付け一体型コンセント８の音声入力端子５にオーディオ機器を接続すると、オーディオ機器の音声が、緊急地震速報用の各スピーカー１…から発せられるようになされているので、オーディオ機器をこのようなかたちで日常的に使用することにより、緊急地震速報用のアンプ２やスピーカー１…の機能に障害が発生していれば、それに容易に気付くことができて、早期に修復することができ、いざというときの備えを万全なものにすることができる。
【００２３】
しかも、こうしてオーディオ機器を宅内の音声入力端子５に接続することで、オーディオ機器の音声を宅内において全館放送で聞くことができ、システムを構成するアンプやスピーカーの活用の幅を広くすることができる。
【００２４】
また、前記一体型コンセント８に、カバー１０を用いて、携帯型オーディオ機器１１のドッキングステーション１２を接続しておけば、ＡＣアダプタ１３や配線関係がカバーで隠され、すっきりとした納まりにすることができる。また、ＦＭチューナー部９を利用して、ＦＭトランスミッターを使用したオーディオ機器の使用も可能になる。システムにタイマー機能や時報機能を設けるようにするのもよい。
【符号の説明】
【００２５】
１…緊急地震速報用スピーカー
２…緊急地震速報用アンプ
３…処理部
５…音声入力端子
７…電源コンセント
８…一体型コンセント
９…ＦＭチューナー部
１０…カバー
１０ａ…開口部
１１…携帯型オーディオ機器
１２…ドッキングステーション
１３…ＡＣアダプタ
１３ａ…アダプタ本体
１３ｂ…プラグ
１４，１５…ケーブル
【図１】
2010277182.tif 000003